(57)【特許請求の範囲】
【請求項１】
ロール状媒体の中空軸部に挿通され該ロール状媒体を回転自在に支持する支持部と、
前記支持部と一体化されて前記ロール状媒体の端面と当接する当接部と、
前記支持部が前記ロール状媒体の前記中空軸部に挿通された際に該中空軸の内周面に当接して支持するリブ部材と、
前記軸方向に進退することにより前記リブ部材を前記中空軸の内周面に対して変位させる楔状部材と、
前記当接部に押込み動作可能に配置され該押込み動作に連動して前記楔状部材を進退させる押込ラチェット部材と、
を備えるロール状媒体支持機構であって、
前記当接部に設けられた円筒形状部の内周部に配置され前記押込み動作に連動して前記軸方向に移動することにより前記楔状部材を該軸方向に進退させる回転ラチェット部材と、前記楔状部材と前記回転ラチェット部材との間に配置されたバネ部材と、を備え、
前記回転ラチェット部材が前記楔状部材が前記支持部側に移動した状態で前記当接部に係止可能に配置され、前記押込み動作によって前記内周部の周方向に回転することにより、前記軸方向に移動自在な状態と前記係止状態とを切替えられることを特徴とするロール状媒体支持機構。
【請求項２】
前記回転ラチェット部材が円筒形状に形成され外周に等角度で形成された山歯状の凸部を備え、前記押込ラチェット部材が円筒形状に形成され前記回転ラチェット部材の前記凸部と同位相の前記外周の外側に突出した凸部を含む該外周に等角度で形成された山歯状の凸部を備え、前記当接部が前記円筒形状部の内周部に前記回転ラチェット部材の前記凸部と前記押込ラチェット部材の前記外側に突出した凸部を前記軸方向に移動自在にガイドする溝部と前記回転ラチェット部材の前記凸部を係止する周方向に傾斜した傾斜部とを備えることを特徴とする請求項１に記載のロール状媒体支持機構。
【請求項３】
前記支持部と前記楔状部材との間に配置されたバネ部材を備えることを特徴とする請求項１または２に記載のロール状媒体支持機構。
【請求項４】
ロール状の被記録媒体を搬送しつつ記録する記録装置であって、
請求項１乃至３のいずれか１項に記載のロール状媒体支持機構を備えたことを特徴とする記録装置。
【発明の詳細な説明】
【技術分野】
【０００１】
本発明は、ロール状媒体を両端で支持するロール状媒体支持機構及びそのロール状媒体支持機構を備えた記録装置に関する。
【背景技術】
【０００２】
一般に、記録装置の１つである大型のプリンタは、被記録媒体の１つであるロール紙を供給する給紙部、給紙されたロール紙に画像を記録する記録部、記録されたロール紙を排出する排紙部がこの順で上部から配設された構成となっている。ロール紙は、軸芯である中空の紙管の両端に保持部材が嵌め込まれて給紙部にセットされる。このロール紙の保持部材は、円盤状のフランジと円筒状のボスが一体となった形状に形成されており、ボスが紙管に嵌め込まれてロール紙を支持する。そして、ボス部は、径が２インチの紙管に対応可能な径に形成されており、径が３インチの紙管の場合は別部品であるアダプタを装着して対応するようになっている（特許文献１参照）。
【０００３】
【特許文献１】特開２００３−２７６９１１号公報
【発明の開示】
【発明が解決しようとする課題】
【０００４】
上述したロール紙の保持部材は、径の異なる紙管に対応するためにアダプタが必要となるが、アダプタの保管や管理等が煩雑なものとなっている。また、紙管の径のばらつきによりボスの抜き差し時の操作力が過大になる場合がある。
【０００５】
本発明は、上記のような種々の課題に鑑みなされたものであり、その目的は、ロール状媒体の異なる径の芯部材を支持する簡易な構成であって取扱いが容易なロール状媒体支持機構及びそのロール状媒体支持機構を備えた記録装置を提供することにある。
【課題を解決するための手段】
【０００６】
上記目的達成のため、本発明のロール状媒体支持機構では、ロール状媒体の中空軸部に挿通され該ロール状媒体を回転自在に支持する支持部と、前記支持部と一体化されて前記ロール状媒体の端面と当接する当接部と、前記支持部が前記ロール状媒体の前記中空軸部に挿通された際に該中空軸の内周面に当接して支持するリブ部材と、前記軸方向に進退することにより前記リブ部材を前記中空軸の内周面に対して変位させる楔状部材と、前記当接部に押込み動作可能に配置され該押込み動作に連動して前記楔状部材を進退させる押込ラチェット部材と、を備えるロール状媒体支持機構であって、前記当接部に設けられた円筒形状部の内周部に配置され前記押込み動作に連動して前記軸方向に移動することにより前記楔状部材を該軸方向に進退させる回転ラチェット部材と、前記楔状部材と前記回転ラチェット部材との間に配置されたバネ部材と、を備え、前記回転ラチェット部材が前記楔状部材が前記支持部側に移動した状態で前記当接部に係止可能に配置され、前記押込み動作によって前記内周部の周方向に回転することにより、前記軸方向に移動自在な状態と前記係止状態とを切替えられることを特徴とするロール状媒体支持機構。ことを特徴としている。これにより、異なる径の芯部材に対して別部品で対応する必要が無く、リブ部材を簡易な変位機構により変位させるのみで良いので、簡易な構成であって取扱いが容易となる。
また、前記回転ラチェット部材が円筒形状に形成され外周に等角度で形成された山歯状の凸部を備え、前記押込ラチェット部材が円筒形状に形成され前記回転ラチェット部材の前記凸部と同位相の前記外周の外側に突出した凸部を含む該外周に等角度で形成された山歯状の凸部を備え、前記当接部が前記円筒形状部の内周部に前記回転ラチェット部材の前記凸部と前記押込ラチェット部材の前記外側に突出した凸部を前記軸方向に移動自在にガイドする溝部と前記回転ラチェット部材の前記凸部を係止する周方向に傾斜した傾斜部とを備えることを特徴としている。これにより、ユーザはリブ部材を容易に変位させることができる。
また、前記支持部と前記楔状部材との間に配置されたバネ部材を備えることを特徴としている。これにより、ロール状媒体支持機構を芯部材から取り外す場合に、押込ラチェット部材を押込むことにより、楔状部材を当接部側に移動させることができる。
上記目的達成のため、本発明の記録装置では、ロール状の被記録媒体を搬送しつつ記録する記録装置であって、上記各ロール状媒体支持機構を備えたことを特徴としている。これにより、上記各作用効果を奏する記録装置を提供することができる。
【発明を実施するための最良の形態】
【０００７】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【０００８】
図１は、本発明のロール状媒体支持機構の実施形態を示す分解斜視図、図２（Ａ）、（Ｂ）は、図１のロール状媒体支持機構の第１の主要部を示す分解平面図及び組立平面図、図３は、図１のロール状媒体支持機構の第２の主要部を示す斜視図、図４及び図５は、図１のロール状媒体支持機構を組み立てたときの斜視図である。尚、このロール状媒体支持機構２００は、同一形状のものが２つで１組であり、中空の２インチもしくは３インチの紙管の両端にそれぞれ嵌め込まれてロール紙（ロール状媒体）を支持するようになっている。図１に示すように、ロール状媒体支持機構２００は、プラスチックで成るボス部材（支持部材）２１０、フランジ部材（当接部材）２２０、リブ部材２３０、楔状部材２４０、２つの第１バネ部材２５０、第２バネ部材２６０、回転ラチェット部材（ボタン部材）２７０、押込ラチェット部材（ボタン部材）２８０及びガイド部材（ボタン部材）２９０を備えている。
【０００９】
ボス部材２１０は、２インチの紙管の径よりも若干小さい径で略円筒状に形成されており、紙管に端部側から挿入されて紙管の内周面を支持する。フランジ部材２２０は、このボス部材２１０と同軸となる略円形皿状に一体形成されており、紙管及びロール紙の端面と当接する。リブ部材２３０は、略棒状に形成されており、４つがボス部材２１０と楔状部材２４０の周面に跨って等角度（９０°）で配置される。このフランジ部材２２０の外周は多角形状（この例では１２角形状）に形成されており、ロール紙がセットされた状態で床等に載置されたときの転動を防止することができる。
【００１０】
楔状部材２４０は、略円筒状の本体部２４１と、本体部２４１の一端周面に等角度（９０°）で軸方向に延びるように一体形成された略テーパ状の楔部２４２を備えており、フランジ部材２２０の端面側からボス部材２１０の内部に挿入配置される。この楔状部材２４０の楔部２４２は、本体部２４１の他端側から一端側に向かうに従って段階的に高くなるように形成されている。
【００１１】
リブ部材２３０と楔状部材２４０について更に詳述すると、図１及び図２に示すように、リブ部材２３０は、一端側が折曲げられて先端には抜止め突部２３１が一体形成され、他端には回動軸部２３２が一体形成されている。楔状部材２４０の楔部２４２の頂部傾斜面２４４は、本体部２４１の他端側が最も低い解除領域２４４ａ、本体部２４１の一端側に向かって次の傾斜面が２インチの紙管用の２インチ領域２４４ｂ、１つ傾斜面を挟んで更に次の傾斜面が３インチの紙管用の３インチ領域２４４ｃとして形成されている。
【００１２】
そして、この楔部２４２の頂部傾斜面２４４には、各リブ部材２３０の抜止め突部２３１側が挿入されて折曲げ箇所２３３を案内する案内スリット２４５が形成されている。一方、ボス部材２１０の周面には、内部に楔状部材２４０が挿入されたときに、案内スリット２４５に抜止め突部２３１側が挿入された状態の各リブ部材２３０が露出する矩形状の窓部２１１が形成されている。そして、各窓部２１１におけるボス部材２１０先端側の端部には、各リブ部材２３０の回動軸部２３２を回動自在に支持する軸受部２１２（図５等参照）が一体形成されている。
【００１３】
第１バネ部材２５０は、圧縮コイルバネであり、フランジ部材２２０の端面側からボス部材２１０の内部に挿入配置される。第２バネ部材２６０は、圧縮コイルバネであり、楔状部材２４０の本体部２４１の一端側の外周部に挿入配置される。回転ラチェット部材２７０は、略円筒形状に形成されて外周には８個の山歯状の凸部２７１が等角度で一体形成されており、楔状部材２４０の本体部２４１の一端側の外周部に挿入配置される。押込ラチェット部材２８０は、略円筒形状に形成されて外周には１６個の山歯状の凸部２８１が等角度で一体形成されており、楔状部材２４０の本体部２４１の一端側の外周部に挿入配置される。尚、１６個の山歯状の凸部２８１のうち、８個の山歯状の凸部２７１と同位相の８個の山歯状の凸部２８１は外側に突出している。ガイド部材２９０は、図１及び図３に示すように、略円筒形状に形成されて内周には軸方向に延びる溝部２９１と周方向に傾斜した傾斜部２９２が形成されており、押込ラチェット部材２８０の外周部に挿入配置される。
【００１４】
以上のような構成の各部材を組み立てるときは、先ず、第１バネ部材２５０と楔状部材２４０を、フランジ部材２２０の端面側からボス部材２１０の内部に挿入する。そして、各リブ部材２３０の抜止め突部２３１側を、ボス部材２１０の各窓部２１１から露出している楔状部材２４０の楔部２４２の各案内スリット２４５内側に挿入して、各リブ部材２３０の回動軸部２３２を、ボス部材２１０の軸受部２１２に嵌め込む。次に、第２バネ部材２６０と回転ラチェット部材２７０と押込ラチェット部材２８０を、楔状部材２４０の本体部２４１の一端側の外周部に挿入する。そして、ガイド部材２９０を、押込ラチェット部材２８０の外周部に挿入してフランジ部材２２０に固定する。以上により図４及び図５に示す組立完成品となる。
【００１５】
図６（Ａ）、（Ｂ）及び図７（Ａ）、（Ｂ）は、上記回転ラチェット部材２７０と上記押込ラチェット部材２８０の動作を説明するための側面図及び斜視図である。押込ラチェット部材２８０と回転ラチェット部材２７０は、ガイド部材２９０内にて軸方向に移動自在となっており、図４及び図５に示すように、押込ラチェット部材２８０が、ガイド部材２９０に対し外側へ突出した状態とガイド部材２９０に対しフランジ部材２２０側に押込まれた状態をとることができる。
【００１６】
押込ラチェット部材２８０が、ガイド部材２９０から突出した状態では、図６（Ａ）に示すように、押込ラチェット部材２８０の凸部２８１は、回転ラチェット部材２７０の凸部２７１の先端と噛み合っている。即ち、押込ラチェット部材２８０の凸部２８１と回転ラチェット部材２７０の凸部２７１は直線状になっている。従って、図７（Ａ）に示すように、押込ラチェット部材２８０の凸部２８１と回転ラチェット部材２７０の凸部２７１は、ガイド部材２９０の溝部２９１に沿って軸方向に移動自在となっている。
【００１７】
一方、押込ラチェット部材２８０が、ガイド部材２９０に押込まれた状態では、図６（Ｂ）に示すように、押込ラチェット部材２８０の凸部２８１は、回転ラチェット部材２７０の凸部２７１の後端と噛み合っている。即ち、押込ラチェット部材２８０の凸部２８１と回転ラチェット部材２７０の凸部２７１は略Ｌ字状になっている。即ち、図７（Ｂ）に示すように、押込ラチェット部材２８０の凸部２８１は、ガイド部材２９０の溝部２９１に留まるが、回転ラチェット部材２７０の凸部２７１は、ガイド部材２９０の溝部２９１から外れ、ガイド部材２９０の斜面部２９２に沿って図示矢印で示す周方向に半位相回転して係止されるようになっている。この係止状態は、押込ラチェット部材２８０がガイド部材２９０に再度押込まれることにより、回転ラチェット部材２７０の凸部２７１が、ガイド部材２９０の斜面部２９２から外れて図示矢印で示す周方向に半位相回転し、ガイド部材２９０の溝部２９１に戻ることにより解除されるようになっている。
【００１８】
そして、押込ラチェット部材２８０が押込まれると、楔状部材２４０が第２バネ部材２６０に押圧されて第１バネ部材２５０を圧縮してボス部材２１０側に移動する。一方、押込ラチェット部材２８０が突出されると、楔状部材２４０が第１バネ部材２５０に押圧されて第２バネ部材２６０を圧縮してフランジ部材２２０側に移動する。また、各リブ部材２３０はボス部材２１０の軸受部２１２に嵌め込まれた回動軸部２３２を中心に旋回自在となるので、楔状部材２４０がフランジ部材２２０側もしくはボス部材２１０側に移動すると、折曲げ箇所２３３が楔部２４２の案内スリット２４５に案内されて頂部傾斜面２４４に沿って上方もしくは下方へ摺動する。即ち、各リブ部材２３０は、ボス部材２１０の軸に対して平行に閉じた状態と所定角度で放射状に展開した状態との間で動作自在となっている。このような構成において、その使用方法を図を参照して説明する。
【００１９】
図８及び図９は、上記ロール状媒体支持機構２００の使用方法を説明するための断面図及び側面図である。使用前の状態では、押込ラチェット部材２８０は、ガイド部材２９０から突出した状態にあり、楔状部材２４０は、第１バネ部材２５０に押圧されて第２バネ部材２６０を圧縮させてフランジ部材２２０側に移動させられている。従って、各リブ部材２３０の折曲げ箇所２３３は楔部２４２の頂部傾斜面２４４の解除領域２４４ａに位置しているので、各リブ部材２３０はボス部材２１０の軸に対して平行な状態にあり、窓部２１１から露出した状態の各リブ部材２３０の上面は、ボス部材２１０の周面と面一となっている。よって、このときの各リブ部材２３０を含むボス部材２１０の径は、２インチの紙管の径よりも若干小さい径となっているので、２インチの紙管であっても３インチの紙管であっても容易に挿入することができる。
【００２０】
図８に示すように、ロール状媒体支持機構２００を２インチの紙管Ｐ１に装着する場合は、上記使用前の状態のままでボス部材２１０を紙管Ｐ１に端部側から挿入し、フランジ部材２２０を紙管Ｐ１及びロール紙Ｒの端面に当接させ、押込ラチェット部材２８０をガイド部材２９０に押込む。これにより、楔状部材２４０が第２バネ部材２６０に押圧されて第１バネ部材２５０を圧縮してボス部材２１０側に移動する。そして、各リブ部材２３０の折曲げ箇所２３３が楔部２４２の案内スリット２４５に案内されて頂部傾斜面２４４に沿って上方へ摺動し、各リブ部材２３０がボス部材２１０の軸に対して展開しようとする。ところが、各リブ部材２３０の折曲げ箇所２３３が２インチ領域２４４ｂまで摺動したところで紙管Ｐ１の内周面に当接して当該展開が途中で妨げられる。
【００２１】
従って、各リブ部材２３０の折曲げ箇所２３３が、第１バネ部材２５０の圧縮力により紙管Ｐ１の内周面を支持することになるので、ロール状媒体支持機構２００は、２インチの紙管Ｐ１を有するロール紙Ｒを支持することができる。このとき、２インチの紙管Ｐ１の径にばらつきがあっても第１バネ部材２５０、第２バネ部材２６０により吸収してロール紙Ｒを支持することができる。そして、押込ラチェット部材２８０を止まるまでガイド部材２９０に押込むことにより、押込ラチェット部材２８０の凸部２８１はガイド部材２９０の溝部２９１に留まるが、回転ラチェット部材２７０の凸部２７１が、ガイド部材２９０の溝部２９１から外れ、ガイド部材２９０の斜面部２９２に沿って周方向に半位相回転して係止される。尚、ボス部材２１０とフランジ部材２２０は、窓部２１１の箇所以外は一体化されており、特にボス部材２１０の先端は閉じた袋状に形成されているため強度上の優位性を保った形状となっているので、重量のあるロール紙Ｒであっても十分に支持することができる。
【００２２】
図９に示すように、ロール状媒体支持機構２００を３インチの紙管Ｐ２に装着する場合は、上記使用前の状態のままでボス部材２１０を紙管Ｐ２に端部側から挿入し、フランジ部材２２０を紙管Ｐ２及びロール紙Ｒの端面に当接させ、押込ラチェット部材２８０をガイド部材２９０に押込む。これにより、楔状部材２４０が第２バネ部材２６０に押圧されて第１バネ部材２５０を圧縮してボス部材２１０側に移動する。そして、各リブ部材２３０の折曲げ箇所２３３が楔部２４２の案内スリット２４５に案内されて頂部傾斜面２４４に沿って上方へ摺動し、各リブ部材２３０がボス部材２１０の軸に対して展開しようとする。ところが、各リブ部材２３０の折曲げ箇所２３３が３インチ領域２４４ｃまで摺動したところで紙管Ｐ２の内周面に当接して当該展開が途中で妨げられる。
【００２３】
従って、各リブ部材２３０の折曲げ箇所２３３が、第１バネ部材２５０の圧縮力により紙管Ｐ２の内周面を支持することになるので、ロール状媒体支持機構２００は、３インチの紙管Ｐ２を有するロール紙Ｒを支持することができる。このとき、３インチの紙管Ｐ２の径にばらつきがあっても第１バネ部材２５０、第２バネ部材２６０により吸収してロール紙Ｒを支持することができる。そして、押込ラチェット部材２８０を止まるまでガイド部材２９０に押込むことにより、押込ラチェット部材２８０の凸部２８１はガイド部材２９０の溝部２９１に留まるが、回転ラチェット部材２７０の凸部２７１が、ガイド部材２９０の溝部２９１から外れ、ガイド部材２９０の斜面部２９２に沿って周方向に半位相回転して係止される。尚、ボス部材２１０とフランジ部材２２０は、窓部２１１の箇所以外は一体化されており、特にボス部材２１０の先端は閉じた袋状に形成されているため強度上の優位性を保った形状となっているので、重量のあるロール紙Ｒであっても十分に支持することができる。
【００２４】
そして、ロール状媒体支持機構２００を２インチの紙管もしくは３インチの紙管から取り外す場合は、押込ラチェット部材２８０を再度止まるまでガイド部材２９０に押込むことにより、回転ラチェット部材２７０の凸部２７１が、ガイド部材２９０の斜面部２９２から外れて周方向に半位相回転し、ガイド部材２９０の溝部２９１に戻るので上記係止が解除される。そして、押込ラチェット部材２８０の凸部２８１と回転ラチェット部材２７０の凸部２７１は、ガイド部材２９０の溝部２９１に沿って軸方向に移動自在となる。これにより、楔状部材２４０が第１バネ部材２５０に押圧されて第２バネ部材２６０を圧縮させてフランジ部材２２０側に移動する。
【００２５】
そして、各リブ部材２３０の折曲げ箇所２３３が楔部２４２の案内スリット２４５に案内されて頂部傾斜面２４４に沿って下方の解除領域２４４ａへ摺動し、各リブ部材２３０がボス部材２１０の軸に対して平行な状態になる。このとき、窓部２１１から露出した状態の各リブ部材２３０の上面は、ボス部材２１０の周面と面一となっている。よって、このときの各リブ部材２３０を含むボス部材２１０は、２インチの紙管の径よりも若干小さい径となっているので、２インチの紙管であっても３インチの紙管であっても容易に抜き取ることができる。
【００２６】
上記一対のフランジ部２２０は、２インチの紙管Ｐ１もしくは３インチの紙管Ｐ２の両端面に当接して紙管Ｐ１、Ｐ２を位置決めすることができると共に、２インチの紙管Ｐ１もしくは３インチの紙管Ｐ２に巻回されたロール紙Ｒを送り出す際にロール紙Ｒの両側縁を案内してロール紙Ｒの蛇行を防止することができる。また、各リブ部材２３０は、２インチの紙管Ｐ１もしくは３インチの紙管Ｐ２の端部側の内周面に当接するので、２インチの紙管Ｐ１もしくは３インチの紙管Ｐ２の両端部分を保持することができ、従来のように長尺の軸を用いる必要が無く、セッティングの作業性を高めることができる。尚、上述した実施形態では、４つのリブ部材２３０を設けて紙管を４箇所で支持するように構成したが、これに限定されるものではなく、任意の複数のリブ部材２３０を設けて紙管を任意の複数箇所で支持するように構成しても良い。
【００２７】
図１０は、上記ロール状媒体支持機構２００が適用可能な記録装置の１つであるインクジェット式プリンタの構成例を示す斜視図であり、図１１は、そのインクジェット式プリンタの主要部の内部構成例を示す斜視図、図１２は、ロール状媒体支持機構２００で支持されたロール紙がセットされるロール紙ホルダを示す斜視図である。このインクジェット式プリンタ１００は、例えばＪＩＳ規格のＡ１判やＪＩＳ規格のＢ１判といった比較的大型のサイズの記録用紙にまで記録できる大型のプリンタである。
【００２８】
このインクジェット式プリンタ１００は、図１０に示すように、ロール状媒体支持機構２００で支持されたロール紙がセットされる給紙部１１０、記録・搬送部１２０、排紙部１３０、脚部１４０がこの順で上部から配設された構成となっている。即ち、最上部に配置された給紙部１１０から給紙されるロール紙は、下部にて傾斜して配置された記録・搬送部１２０及び排紙部１３０の間を斜め下方に向かって搬送されて、最下部に配置された脚部１４０の間に配置される図示しない排紙受けに排紙されるようになっている。記録・搬送部１２０と排紙部１３０は本体として一体化されており、給紙部１１０及び脚部１４０とそれぞれ分離可能に構成されている。
【００２９】
給紙部１１０は、図１０に示すように、本体１２０、１３０の上部後方に突き出るように設けられている。そして、給紙部１１０の内部には、図１１に示すように、１本のロール紙Ｒがセット可能なロール紙ホルダ１１１が設けられ、給紙部１１０の前面には、図１０及び図１１に示すように、跳ね上げ式の開閉可能なロール紙カバー１１２がロール紙ホルダ１１１を覆うように取り付けられている。このロール紙カバー１１２により、ロール紙ホルダ１１１に保持されているロール紙Ｒの汚染を防止することができると共に、ユーザの安全を確保することができる。
【００３０】
ロール紙ホルダ１１１は、図１２に示すように、固定支持機構受け１１３、可動支持機構受け１１４及びガイドレール１１５を備えている。固定支持機構受け１１３は、給紙部１１０の一方の側壁側に固定して配設されており、ロール紙Ｒに装着された一方のロール状媒体支持機構２００を回転可能に軸支持する。可動支持機構受け１１４は、給紙部１１０の他方の側壁側に可動自在に配設されており、ロール紙Ｒに装着された他方のロール状媒体支持機構２００を回転可能に軸支持する。ガイドレール１１５は、固定支持機構受け１１３と可動支持機構受け１１４の間に配設されており、可動支持機構受け１１４のスライドを案内する。
【００３１】
そして、ロール紙Ｒの両端に装着されたロール状媒体支持機構２００は、両端が固定支持機構受け１１３と可動支持機構受け１１４に嵌め込まれて支持されるようになっている。尚、可動支持機構受け１１４は、ガイドレール１１５に沿ってスライド自在であるので、図示一点鎖線で示すサイズが異なるロール紙Ｒであっても支持することができる。ロール紙カバー１１２は、図１０及び図１１に示すように、全体が回動可能に支持されており、ユーザが下部を持って持ち上げ、あるいは押し下げることにより開閉するようになっている。ユーザは、ロール紙カバー１１２の開閉を容易に行うことができ、ロール紙Ｒの交換作業時間等を短縮させることができる。
【００３２】
記録・搬送部１２０は、図１１に示すように、記録ヘッド１２１を搭載したキャリッジ１２２、記録ヘッド１２１と記録を実行するための図示しない制御部とを電気的に接続するフレキシブルフラットケーブル（以下、ＦＦＣという）１２３、記録ヘッド１２１とインクが入ったインクカートリッジ１０とを繋ぐインクチューブ１２４等を備えている。更に、記録・搬送部１２０は、対向配置された接触・離間可能な図示しない紙送りローラ及び従動ローラ、キャリッジ１２２に搭載された記録ヘッド１２１と対向配置された図示しないプラテン等を備えている。そして、記録・搬送部１２０の上面及び前面には、図１０及び図１１に示すように、上蓋１２５及び前蓋１２６が記録ヘッド１２１やキャリッジ１２２等を覆うように取り付けられている。
【００３３】
記録ヘッド１２１は、ブラックインクを吐出するブラックインク用記録ヘッドと、ライトイエロー、イエロー、ライトシアン、シアン、ライトマゼンタ、マゼンタ等の各色のインクを吐出する複数のカラーインク用記録ヘッドとを備えている。そして、記録ヘッド１２１は、圧力発生室とそれに繋がるノズル開口が設けられており、圧力発生室内にインクを貯留して所定圧で加圧することにより、ノズル開口からロール紙に向けてコントロールされた大きさのインク滴を吐出するようになっている。キャリッジ１２２は、図１１に示すように、主走査方向に設けられているレール１２７にコロを介して吊り下げられ、キャリッジベルト１２８に連結されており、図示しないキャリッジ駆動装置によってキャリッジベルト１２８が作動すると、キャリッジベルト１２８の動きに連行され、レール１２７に案内されて往復移動するようになっている。
【００３４】
ＦＦＣ１２３は、図１１に示すように、一端が制御部のコネクタに接続され、他端が記録ヘッド１２１のコネクタに接続されており、記録信号を制御部から記録ヘッド１２１に送るようになっている。インクチューブ１２４は、上記各色のインク用が配設されており、図示しないインク加圧供給手段を介して各一端が対応する各色のインクカートリッジ１０につながれ、各他端が対応する各色の記録ヘッド１２１につながれている。前蓋１２６は、図１０及び図１１に示すように、下部が回動可能に支持されており、ユーザが上部を持って押し下げ、あるいは押し上げることにより開閉するようになっている。
【００３５】
紙送りローラは、１本の長尺のローラとして形成されており、両端がサイドフレームに軸受を介して軸支持されており、紙送りモータからプーリ及びベルトを介して伝達される駆動力により正逆回転駆動するようになっている。従動ローラは、複数個の短尺のローラとして形成されており、紙送りローラの上方で軸方向に複数並設された従動ローラ支持部材に回動自在に軸支持されている。プラテンは、記録可能な最大用紙幅より若干大きい長さの矩形平板状に形成されて紙送りローラの搬送下流側の直近に配設されている。
【００３６】
排紙部１３０は、図１０及び図１１に示すように、ロール紙を副走査方向に搬送する経路の一部を成す排紙ガイド１３１と、ロール紙を副走査方向に搬送する図示しない排紙ローラを備えている。脚部１４０は、図１０及び図１１に示すように、移動用のコロ１４１を有する２本の支持柱１４２と、これらの支持柱１４２の間に掛け渡されている補強棒１４３を備えている。そして、支持柱１４２の上部に給紙部１１０及び本体１２０、１３０が載置されネジ止め固定されるようになっている。
【００３７】
更に、本体１２０、１３０の前面側から見て左側には、図１０及び図１１に示すように、各色のインクカートリッジ１０を収納保持するホルダ本体１５１とその前面を覆うカバー１５２を有するインクカートリッジホルダ１５０が配設されている。また、本体１２０、１３０の前面側から見て右側上部には、図１０及び図１１に示すように、ユーザが記録制御等を操作するための操作パネル１６０が配設されている。この操作パネル１６０は、図示しない制御部と電気的に接続された液晶画面と各種ボタンが配設されており、ユーザが液晶画面を見て確認しながらボタン操作できるようになっている。
【００３８】
以上のように、本実施形態のロール状媒体支持機構２００によれば、ボス部材２１０に設けた楔状部材２４０の進退動作により紙管の径に応じて径方向に変位自在なリブ部材２３０をボス部材２１０に設けたので、異なる径の紙管に対して別部品で対応する必要が無く、リブ部材２３０を変位させるのみで良いので、簡易な構成であって取扱いが容易となる。また、楔状部材２４０は、ボス部材２１０と一体化されてロール紙の端面と当接するフランジ部材２２０に設けた押込ラチェット部材２８０等の押込動作に連動して進退するので、ユーザはリブ部材２３０を容易に変位させることができる。また、フランジ部材２２０の外周が多角形状に形成されているので、ロール状媒体支持機構２００が装着されたロール紙を安定した状態で水平に載置することができる。
【産業上の利用可能性】
【００３９】
ロール状媒体を使用する記録装置であれば、例えばファクシミリ装置、コピー装置等であっても適用可能である。
【図面の簡単な説明】
【００４０】
【図１】本発明のロール状媒体支持機構の実施形態を示す分解斜視図である。
【図２】図１のロール状媒体支持機構の第１の主要部を示す分解平面図及び組立平面図である。
【図３】図１のロール状媒体支持機構の第２の主要部を示す斜視図である。
【図４】図１のロール状媒体支持機構を組み立てたときの第１の斜視図である。
【図５】図１のロール状媒体支持機構を組み立てたときの第２の斜視図である。
【図６】図１のロール状媒体支持機構の回転ラチェット部材と押込ラチェット部材の動作を説明するための第１の側面図及び斜視図である。
【図７】図１のロール状媒体支持機構の回転ラチェット部材と押込ラチェット部材の動作を説明するための第２の側面図及び斜視図である。
【図８】図１のロール状媒体支持機構の使用方法を説明するための第１の断面図及び側面図である。
【図９】図１のロール状媒体支持機構の使用方法を説明するための第２の断面図及び側面図である。
【図１０】図１のロール状媒体支持機構が適用可能な記録装置の１つであるインクジェット式プリンタの構成例を示す斜視図である。
【図１１】図１０のインクジェット式プリンタの主要部の内部構成例を示す斜視図である。
【図１２】図１のロール状媒体支持機構で支持されたロール紙がセットされるロール紙ホルダを示す斜視図である。
【符号の説明】
【００４１】
１００  インクジェット式プリンタ、１１０  給紙部、１２０  記録・搬送部、１３０  排紙部、１４０  脚部、１５０  インクカートリッジホルダ、２００  ロール状媒体支持機構、２１０  ボス部材、２２０  フランジ部材、２３０  リブ部材、２４０  楔状部材、２５０  第１バネ部材、２６０  第２バネ部材、２７０  回転ラチェット部材、２８０  押込ラチェット部材、２９０  ガイド部材
【図１】
0004816192.tif 000002
【図２】
0004816192.tif 000003
【図３】
0004816192.tif 000004
【図４】
0004816192.tif 000005
【図５】
0004816192.tif 000006
【図６】
0004816192.tif 000007
【図７】
0004816192.tif 000008
【図８】
0004816192.tif 000009
【図９】
0004816192.tif 000010
【図１０】
0004816192.tif 000011
【図１１】
0004816192.tif 000012
【図１２】
0004816192.tif 000013